(57)【特許請求の範囲】
【請求項１】
対をなす１８０℃以下、５０Ｋｇｆ／ｃｍ２以下の高温高圧または高圧流体移送用の内径１．５ｍｍ以下の極細管の端末相互間を高気密に接続して、相互間に高温高圧または高圧流体が流通自在であるように接続する、極細管の接続部の構造であって、接続部は両極細管の夫々の端末の突き合わせ構造部とその共通被覆である厚肉の耐熱性ゴム状弾性体チューブとそれらの全体を受容して加圧状態に保持する内容積可変型の受容体との三構成要素からなり、突き合わせ構造部は所定の長さの耐熱性ゴム状弾性体チューブの両端から極細管の端末を夫々に挿入し、所定の位置にて相互に突き合わせまたは近接せしめられて構成されてあり、耐熱性ゴム状弾性体チューブは受容器の内容積縮小の高圧力により圧縮せしめられ、その内壁面は両極細管の外表面に強力に圧着せしめられ、さらに両極細管の突合わせ部の極細管の先端間隙には耐熱性ゴム状弾性体の一部が圧入され且つこの圧入の程度はチューブ内に少なくとも高温高圧または高圧流体が流通可能な極細径流通孔が残置される程度の圧入であり、これにより接続構造体には流通する高圧流体及びその蒸気に対して完全な気密性が付与されるよう構成されてあり、更にこの受容体は両極細管端末の突き合わせ構造部と耐熱性ゴム状弾性体チューブとの全体を受容し、その内容積縮小により耐熱性ゴム状弾性体チューブを高圧にて圧縮変形せしめ、必要に応じてその圧縮加圧状態を長年月に亙り保持することが可能な強度が与えらるよう構成されてあり、上述の三構成要素からなる接続構造の耐高圧、耐高温、高抗張力、高気密性は受容体の耐熱性、剛性及び靭性により保証され、その形状、構造は接続構造が長期固定型であるか、一時固定型であるか、懸架型であるか、または移動型であるか等に対応する構造に構成されてあることを特徴とする流体移送用極細管の接続構造。
【請求項２】
受容体は鍛造または圧延等の塑性加工の可能な金属素材で形成されてある所定の長さの中空金属管状体であり、この中空金属管状体の中に耐熱性ゴム状弾性体チューブが挿入され、耐熱性ゴム状弾性体チューブの両端から極細管の各端末が夫々に挿入され、所定の位置にて相互に突き合わせられまたは近接せしめられ、この状態で受容体は高圧プレスまたはスエージング機により加圧縮小せしめられてあり、これによる受容体の内容積縮小により、発生する高圧にて耐熱性ゴム状弾性体チューブが圧縮変形せしめられて、これにより極細管の端末相互間が高気密に接続されてあることを特徴とし、受容体の中空金属管状体の肉厚は耐熱性ゴム状弾性体チューブの高圧圧縮状態を長年月に亙り保持するに充分な強度を与える肉厚であることを特徴とする請求項１に記載の流体移送用極細管の接続構造。
【請求項３】
受容体、耐熱性ゴム状弾性体チューブ及び両極細管の突合わせ部が相互に着脱自在である様に、受容体は極細管の軸方向に分割可能な組み立て構造であり、且つその一方は雄型に他の一方は雌型に形成され、相互間の圧入深さにより内容積が調整され、これによりゴム状弾性体チューブに対する加圧力が制御され、制御された加圧力によりゴム状弾性体チューブが所定の圧縮比率に圧縮変形せしめられるように形成されてあり、、受容体に併設された圧入深さ制御手段は、ゴム状弾性体チューブに加えられた加圧圧縮状態を長年月に亙り保持することの可能な強靭性が与えられてあることを特徴とする請求項１に記載の流体移送用極細管の接続構造。
【請求項４】
加圧圧縮された耐熱性ゴム状弾性体チューブと受容体及び両細管が相互に接触する部分における、少なくとも耐熱性ゴム状弾性体チューブ内壁表面と両極細管の突合わせ部の外壁表面とは耐熱高信頼性接着剤薄膜により接着されてあり、受容体により為される加圧圧縮の圧縮比率は、耐熱性ゴム状弾性体チューブに十分なゴム状弾性が残置されてある程度の圧縮比率であり、これにより接続構造部には衝撃吸収機能が付与されてあることを特徴とする請求項１に記載の流体移送用極細管の接続構造。
【発明の詳細な説明】
【０００１】
【産業上の利用分野】
本発明は対をなす高温高圧または高圧流体移送用極細管の端末相互間の接続を容易ならしめる接続構造に関するもので、特に内径１．５ｍｍ以下の高温高圧または高圧流体移送用極細管の端末相互間を着脱自在且つ耐高圧、高気密に連結し、極細管相互間には高温高圧または高圧流体が流動自在であるように接続することを可能にする接続構造に関する。
【０００２】
【従来の技術】
内径２ｍｍ以下の高温高圧または高圧流体移送用極細管相互間の高気密接続は従来極めて困難な事とされており、熟練作業者の手作業による以外には不可能であり、工業的には信頼性の高い適切な接続構造も接続手段も無かった。特に移送される流体が温度１８０℃、内圧５０Ｋｇｆ／ｃｍ２の如く高温高圧流体であり、細管の内径が１．５ｍｍ以下の如き極細管においては、極細管の端末相互間を高気密に接続し相互間に高温高圧流体が流動自在であるよう接続する接続構造の形成は手作業の場合であっても不可能とされてきた。その問題点は以下の如くであった。
【０００３】
【発明が解決しようとする問題点】
問題点（１）…継ぎ手接続方式の問題点…従来細管の接続用継手としてはフレア継手、食い込み式継手、クイックカプラ等各種のものが実用化されている。然しそれらは何れも被接続細管の最小内径２．５ｍｍを限界としてそれより細いものは未だ実用化には至っていない。それはそれ以下に内径の細い継手構造は製作上の機械加工作業の困難さから信頼性の高い継手の製作が極めて困難であり工業化が困難であることによるものであった。試作用または研究用としては被接続細管の内径２ｍｍの信頼性の高い継手も製作は可能である。然しそれはコストを度外視した手作り製品であり、工業的製品としての製作は不可能であった。然し手作り製品であっても細管内径１．５ｍｍ以下の継手の製作は製造技術的に全く製作不可能であった。然し近来の機器の小型化、実装の精細化の進展は、外形３ｍｍ以下、内径１．５ｍｍ以下の極細管の接続の必要性が増加しつつある。
上述のフレア継手、食い込み式継手、クイックカプラ等の構造は極めて公知であるから図示に依る説明は省略する。
【０００４】
問題点（２）…低強度金属の継ぎ手接続の問題点…亜鉛、マグネシューム、アルミニゥム、等の如き軟質低強度金属の極細管の接続は更に困難を極める。即ちこのような軟質低強度金属のフレア継手接続の例を取ると、フレアの形成は極めて容易ではあるが継手としての強度が脆弱で、特に内径２．５ｍｍ以下の如き場合は僅かな外力で継ぎ手が変形し、接続の気密性が失われ、実用的継手として適用出来なかった。特に本発明が目的とする高温高圧または高圧流体の継ぎ手としては同様の理由から全く適用の見込みが立たなかった。また、食い込み式継手の場合、気密性保証部分である食い込み部の食い込み性は極めて良好ではあるが、素材が軟質低強度であることにより、僅かな外力で食い込み部が変形し、食い込みがはずれ、気密性が失われ実用的継手として適用出来なかった。この場合も本発明の目的とする高温高圧または高圧流体用極細管の接続は、同じ理由から適用が全く不可能であった。また他の接続構造としてクイックカプラーを用いて接続することが考えられるが、本発明が目的とする如き極細管用クイックカプラーは製造技術的に製作が不可能であり実用不可能であった。またこのカプラーと軟質低強度金属の極細管との高耐圧接続、高気密接続も接続時の加圧力による極細管の変形、耐加圧力の脆弱さ、高温による耐力の低下等に因る発生圧着力の弱さ、などに因り不可能であった。
【０００５】
問題点（３）…溶接または溶接継ぎ手接続の問題点…上述のようであるから、従来は外形３ｍｍ以下、内径１．５ｍｍ以下の極細管の接続には溶接接続以外には適切な手段がなかった。然し溶接接続の場合であっても、溶接時の熔融金属による接続部の流体管路が閉塞して流体の流通が不能になったり、熔融金属内の不純物により発生する微小気泡、溶接条件の不適切等により発生する微小なクラックや微小なピンホール等が溶接部におけるリーク発生の原因となったり、信頼性低下の原因となったりすることにより、作業歩留が極めて悪く大きな問題点となっていた。特にアルミ細管の場合はアルミ熔融表面に空気または酸素含有ガスが接触する際に、瞬時に細管表面に極めて強靭な、かつ極めて融点の高い酸化皮膜が発生し、これが溶接の妨げとなり、通常の手段では溶接は不可能であり、レーザ溶接、ティグ溶接等の特殊な溶接手段を必要とし、これらの溶接には高度な溶接技術を必要とするものであった。そのような高度の溶接技術を用いてもアルミ極細管相互の溶接作業は、アルミ素材の融点が約６００℃と比較的低いにも拘らず、その溶接作業温度は１０００℃〜２０００℃と極めて高い温度を必要とすることに起因して、その作業には酸化防止手段、フラックスの配合条件、加熱昇温速度、温度保持時間、など微妙な制御を必要とする項目が多く、作業条件の設定が極めて困難であり、その溶接歩留は３０〜４０％に過ぎなかった。このような歩留では工業的な実用接続は不可能であり、信頼性が高く歩留の高い接続方法の実用化が強く望まれていた。また溶接の一種としてろう接接続があるがこれも溶接と同様に困難な問題点が多く、更にろう接接続構造は接続信頼性が乏しく高温高圧に耐える接続にはその適用が不可能であった。本発明は上述の各種問題点を解決し、更に作業歩留を大幅に改善する極細管の新規な接続構造を提供する。
【０００６】
【問題点を解決する為の手段】
本発明における問題点を解決する為の手段の基本的な考え方は以下の通りである。（１）溶接接続構造は極めて高度な製造技術と熟練技能を必要とすることに因りこれは避けることとした。このような接続構造は実用化に成功したとしても、溶接作業者が替わる毎に製品の信頼性が変り、品質の安定性に欠ける問題点が発生する。（２）組立構造のクイックカプラーの適用構造や食い込み継手の適用構造もこれを避けることとした。これらの継手の製作には微細な機械加工を必要とし、また精密な部品を必要とするものである。これらの継手は現有技術では内径１．５ｍｍ以下の極細管の接続用の物は製作困難であり、手作りで製作しても、耐圧性と高気密性と保持することが困難であり、接続信頼性が極めて低いのでこの採用は不可能であった。（３）問題点を解決する為の手段として、気密保持機能部品と耐圧維持機能部品とを機能別に分離して別部品とし、これにより各部品の構造を単純化せしめ、接続構造全体の構造を簡易化せしめて、製作及び組立を容易化せしめることにした。
【０００７】
図１、図２、図３は上記の考え方に基づく問題点を解決する為の手段の基本的構成及びその第二実施例の説明図である。図１は長さ方向の一部断面を示す正面図、図２は図１のＡ−Ａ断面図、図３はその組立手順の説明図である。図は対をなす１８０℃以下、５０Ｋｇｆ／ｃｍ２以下の高温高圧または高圧流体１の移送用の内径１．５ｍｍ以下の極細管２、３の端末相互間を高気密に接続して、相互間に高温高圧流体１が流通自在であるように接続する極細管２、３の接続部の構造であって、接続部は両極細管２、３の夫々の端末の突き合わせ構造部、とその共通被覆である厚肉の耐熱性ゴム状弾性体チューブ５、とそれらの全体を受容して加圧状態に保持する内容積可変型の受容体６、との三構成要素からなり、突き合わせ構造部は所定の長さの耐熱性ゴム状弾性体チューブ５の両端から極細管２、３の端末を夫々に挿入し、所定の位置にて相互に突き合わせまたは近接せしめられて構成されてあり、耐熱性ゴム状弾性体チューブ５は受容器６の内容積縮小の高圧力により圧縮せしめられ、その内壁面は両極細管２、３の外表面に強力に圧着せしめられ、さらに両極細管２、３の突合わせ部の極細管２、３の先端間隙４には耐熱性ゴム状弾性体５の一部が変形して圧入され且つこの圧入はチューブ５内に極細流通孔が残置される程度に充填する圧入であり、これにより接続構造体には流通する高温高圧または高圧流体１及びその蒸気に対して完全な気密性が付与されるよう構成されてある。    更にこの受容体６はその内容積縮小により耐熱性ゴム状弾性体チューブ５を高圧にて圧縮変形せしめその圧縮加圧状態を長年月に亙り保持する加圧手段８を有する構造になっており、上述の三構成要素からなる接続構造の耐高圧、耐高温、高抗張力、高気密性は受容体６の耐熱性、剛性及び靭性により保証されていることを特徴としている。
【０００８】
上記の実施例構造はあくまでも基本構造の一実施例であり、適用態様に対応して詳細構造としては夫々各様に変化する。適用態様としては、機器キャビネットの内壁を一例とする壁面上配管の接続、機器間を接続する配管を一例とする懸架配管の接続、床上及び床下配管の接続、車両自動車を例とする振動を伴う移動体内配管の接続、その他多数の適用態様がある。それらの場合は夫々に対応して、受容体６には基本構造に対して壁面取り付け用ブラケット、懸架支持線との連結用釣り金具、床面取り付け手段、振動吸収型取り付け手段等の各種構造が付加される。適用時に大きな張力が掛かる場合には極細管２、３の材質として高抗張力素材で形成されたものが適用される場合もあり、適用時に大きな張力やその他の外力が加わる恐れのない適用の場合は受容体６、厚肉ゴム状弾性体チューブ５の何れをも薄肉化せしめて、接続構造の軽量小型化を図る場合もある。
【０００９】
また接続構造には固定型、一時固定型、懸架型、可搬型に分類され夫々の型及び夫々の適用態様に応じて受容体６の構成材料を選択して、軽量構造、重量構造、堅牢構造等に構成される。一時固定型とは生産用設備の配管において、接続と分割を繰り返す必要のある極細管２、３の接続構造を意味する。一例として高圧流体１を製品の容器内に注入したり、排出したり、封入量を調整したりする設備がある。この場合は両極細管２、３の一方を高圧流体の被封入側製品容器と一体となった被注入側細管２とし、他の一方を高圧流体供給用細管３とし、各製品毎に受容体６を開閉して被注入細管２を挿抜着脱して実施するもので、受容体６の閉動作に依り雄金型により突き合わせ構造部を雌金型中に圧入して短時間保持し、この保持時間中に高圧流体を被封入側製品容器中に注入し、または排出し、または調整したりするもので、注排作業完了の後に受容体６を開作動せしめ突き合わせ構造部を抜去する。この様な作動を繰り返して多数の製品容器中に高圧流体を注排出または調整する為の接続構造がある。この場合は受容体６の加圧力開放時点には高圧流体１の流通を阻止する所定の手段（図示は省略）が併設される。
【００１０】
ゴム状弾性体チューブ５としては、フッ素ゴムチューブ、シリコンゴムチューブ、ネオプレーンゴムチューブなどに代表される耐熱性、高弾性、耐薬品性に富む合成ゴムが望ましく、それらの中から高温高圧流体１の成分に対して化学的に安定なものを選択して適用する。何れも復元性に富む配合のものが望ましいが、一時固定型の如く着脱開閉頻度の高い接続構造の場合は特に復元性の高い性能を備えたゴム状弾性体チューブ５が適用される。
【００１１】
【作用】
上述のごとき本発明の高温高圧流体移送用極細管の接続構造の構成には次の如き作用がある。
（１）本発明に係る接続構造体は、極細管２、３端末の突き合わせ構造部の細管端末の直列整列化機能、内容積可変型受容体６の加圧保持機能及び機械的強度保証機能、耐熱性のゴム状弾性体５の高気密性付与機能、等各構成部品の機能の分離化は、夫々の部品を従来の各種の細管接続用継手の構成部品にに比較して、極めて単純簡易な部品とし且つ精密構造の不用な部品とすることを可能ならしめた。これは接続部の製作を容易ならしめ、且つその組立て構成方法をも容易なものとした。
【００１２】
（２）本発明に係る両極細管２、３の接続部に高気密保持機能を与える部品として適用される、細管突合わせ部４を覆って被覆される、細管の外径にほぼ近似的な内径を有する厚肉耐熱性のゴム状弾性体からなるチューブ５は、所定の強さの加圧力を加えるだけで、両極細管２、３の突合わせ部４の微小間隙を完全に充填し、且つチューブ内径表面と両極細管２、３の表面との間は高気密に加圧圧着されるから、本発明の細管接続構造は、加圧力が持続するかぎり、高気密を保証することが出来る。受容体６の加圧力による両極細管２、３の表面に対するチューブ５の密着性はゴム状弾性の特性により完璧となるから、流通流体１の高圧蒸気に対しても完全な気密性を維持する。
【００１３】
（３）本発明に係る両極細管２、３の突き合わせ構造部４に高気密保持機能を与える部品としての厚肉耐熱性のゴム状弾性体からなる所定の長さのチューブ５を製作するには、長尺の押出成型品の弾性体チューブを、鋏、ナイフ、自動カッター等で所定の長さに切断するだけの単純作業で部品として完成するから、極めて製作容易であり、熟練を全く必要とせず、作業者による性能のバラツキも全く発生しない。また伸縮自在であるから両極細管２、３を挿入する組立て作業も極めて単純容易な作業となる。
【００１４】
（４）本発明に係る受容体６は両極細管２、３の接続部に機械的強度を付与する機能、内容積可変機能および高耐圧維持機能を与える部品であるが、その構成は単純簡易な構造であるから、強靭であり、製作容易であり、故障発生の危険が少なく、高い信頼性を保証する。またこの強力な加圧力はゴム状弾性体チューブ５と両極細管２、３の表面の密着力、ゴム状弾性体チューブ５と受容体６の内壁面の密着力を大幅に増強せしめ、接続構造が流通流体の高圧により受ける強力な軸方向張力に対する抗張力をも強化せしめる。
【００１５】
【実施例】
［第一実施例］  図４は本発明の高温高圧または高圧流体移送用極細管の接続構造の第一実施例を示す接続構造の軸方向断面の説明図であり図５、図６はそのＡ−Ａ′断面図である。内容積可変型の受容体６は鍛造または圧延等の塑性加工の可能な金属素材で形成されてある所定の長さの中空金属管として形成されてある。図５においてはこの中空金属管受容体６の中には耐熱性ゴム状弾性体チューブ５が挿入され、耐熱性ゴム状弾性体チューブ５の両端からは極細管２、３の各端末が夫々に挿入され、所定の位置にて相互に突き合わせられまたは近接せしめられてある。図５の状態では中空金属管受容体６は内容積縮小前の状態にある。図６は受容体６が内容積を縮小せしめた後の状態を示し、受容体６の中空金属管は高圧プレスまたはスエージング機により加圧縮小せしめられてある。受容体６の内容積縮小により、発生する高圧にて耐熱性ゴム状弾性体チューブ６は圧縮変形せしめられて、これにより極細管２、３の端末相互間は高気密に接続されてあることを特徴とし、受容体６の中空金属管の肉厚は耐熱性ゴム状弾性体チューブの高圧圧縮状態を長年月に亙り保持するに充分な強度を与える肉厚になっている。
【００１６】
本実施例の構成は内容積可変のための手段として特別に付加部品を付加すること無く、受容体６を鍛造または圧延等の塑性加工の可能な金属素材で形成し、内容積縮小手段として高圧プレスまたはスエージング機を用いて加圧縮小せしめるものであるから、内容積可変のための手段が接続構造の容積及び重量が増加することが無い点に特徴がある。従って後述する他の実施例に比較して、最も軽量小型となる。従ってこの接続構造は、懸架型や可搬型に適用すればより効果的である。またこの実施例は最も簡易簡素な構造であるから、最も信頼性の高い構造であると共に最も低価格で構成することが出来る利点がある。
【００１７】
［第二実施例］  図１は本発明の高温高圧流体移送用極細管の接続構造の第二実施例の説明図を兼ねている。図において受容体６は耐熱性ゴム状弾性体チューブ５と両極細管２、３の突合わせ構造部とが着脱自在である様に、受容体６は極細管２、３の軸方向に二分割可能な組み立て構造に構成されてあり、且つその一方は雄型６−１に他の一方は雌型６−２に形成され、雄型突起部７の挿入深さにより容易に内容積を変更することが出来る。受容体６に併設された加圧手段８−ｎはボルト群及びナット群からなり、圧入深さ制御はナット群に依って為される。ナット群の締めつけにより、受容体６の内容積が所定の内容積まで縮小した場合、発生する加圧力によりゴム状弾性体チューブ５は所定の圧縮比率に圧縮変形せられ、本発明の作用効果が発揮される。本実施例における加圧手段８−ｎは、ゴム状弾性体チューブ５に加えられた加圧圧縮状態を長年月に亙り保持する強靭性が与えられてあることを特徴としている。
【００１８】
第二実施例は固定型接続構造に適している。その場合は図７に例示の如く受容体６−１、６−２にブラケット９等と組み合わせて被固定体１０に接続固定して適用される。一時固定型（繰り返し接続）の場合は図８に例示の如く加圧手段８−ｎに替えて、簡易なプレス１１などにより受容体６−１、６−２の相互挿抜を繰り返して実施する。その場合は雌型６−２を被固定体（台座など）１２に固定し、簡易プレス１１により雄型６−１を挿抜することが望ましい。このような一時固定型接続構造は両極細管２、３の何れか一方を高圧流体１の供給側細管とし、他方を受給側細管とし、受給側細管に連結されてある高圧流体容器に高圧流体を充填する如き用途に適用される。図示はされていないがこの場合には両極細管２、３の所定の部分には、高圧流体の充填を完了し、接続部を受容器から抜去する際に高圧流体が噴出して失われることのないよう封止バルブ設けられる。
【００１９】
［第三実施例］接続構造が移動型または可搬型である場合、接続構造には激しい衝撃が加わる場合が想定される。図９に例示の第三実施例はそのような場合に対する対策を講じた実施例である。その対策としては  加圧圧縮の圧縮比率を低下せしめて圧縮の後にも耐熱性ゴム状弾性体チューブ５に十分なゴム状弾性が残置されてある程度の圧縮比率とし、接続構造部に衝撃吸収機能を付与するとともに、加圧圧縮された耐熱性ゴム状弾性体チューブ５と受容体６及び両極細管２、３の相互接触部の、少なくとも耐熱性ゴム状弾性体チューブ５の内壁表面と両極細管２、３の突合わせ部の外壁表面とは耐熱高信頼性接着材１３により強固に接着されて、衝撃によるズレの発生を防ぐことが出来るよう構成されてある。図９においては耐熱性ゴム状弾性体チューブ５の外表面と受容体６の内壁面も耐熱高信頼性接着材１４により相互接着されてあるがこれは必須条件とはならない。
【００２０】
【発明の効果】
高気密性保持機能を与える為のゴム状弾性体の効果は極めて優れたものであった。耐圧性保持機能及び機械的強度維持機能を与える為の簡易強靭な受容体構造の効果も絶大であった。このような部品毎の機能の分離化は各部の構造を簡素化せしめ、接続構造としての信頼性を大幅に向上せしめるものであった。組み立て、開閉の容易な受容体の加圧構造は、接続作業を容易ならしめただけでなく、機器容器に対する高圧流体の注入排出用生産設備としての適用をも可能にする効果があった。更に部品構造の単純化簡素化による接続構造のコスト低減効果も絶大であった。
【図面の簡単な説明】
【図１】  本発明の流体移送用極細管の接続構造の基本構成及び第二実施例の説明図であり、長さ方向の一部断面を示す正面図である。
【図２】  本発明の流体移送用極細管の接続構造の基本的構成及び第二実施例の説明図であり、図１のＡ−Ａ断面図である。
【図３】  本発明の流体移送用極細管の接続構造の圧縮加工前の状態を断面図で示してある。
【図４】  本発明の流体移送用極細管の接続構造の第一実施例の説明図であり軸方向断面図である。
【図５】  本発明の流体移送用極細管の接続構造の第一実施例の圧縮加工前の状態の断面説明図である。
【図６】  本発明の流体移送用極細管の接続構造の第一実施例の圧縮加工完了後の状態の断面説明図である。
【図７】  本発明の流体移送用極細管の接続構造の第二実施例の固定型接続構造の適用例を示す説明図である。
【図８】  本発明の流体移送用極細管の接続構造の第二実施例の一時固定型接続構造の適用例を示す説明図である。
【図９】  本発明の流体移送用極細管の接続構造の第三実施例の説明図で軸方向断面図で示してある。
【符号の説明】
１        高温高圧または高圧流体
２        極細管
３        極細管
４        極細管先端間隙
５        ゴム状弾性体チューブ
６−１    受容体（雄型）
６−２    受容体（雌型）
７        雄型突起部
８−ｎ    加圧手段
９        ブラケット
１０        被固定体
１１        簡易プレス
１２        台座
１３        耐熱接着材
１４        耐熱接着材
【図１】
0004193191.tif 000002
【図２】
0004193191.tif 000003
【図３】
0004193191.tif 000004
【図４】
0004193191.tif 000005
【図５】
0004193191.tif 000006
【図６】
0004193191.tif 000007
【図７】
0004193191.tif 000008
【図８】
0004193191.tif 000009
【図９】
0004193191.tif 000010